(57)【要約】【課題】自動車両に搭載された脱塩水を製造するための吸着冷凍システムを提供する。【解決手段】システム（４）は、凝縮器（８）と、蒸発器（１２）と、それぞれ吸着剤材料を含む第１及び第２の吸着剤床（１６、２０）と、を備え、各吸着剤床は、制御弁（３２）を備えたパイプ（２８）によって凝縮器及び／又は蒸発器に選択的に接続可能であり、各吸着剤床は、供給弁（４４）によって、加熱源（３６）の供給回路及び冷却源（４０）の供給回路に選択的かつ交互に接続可能であり、凝縮器は、相対スロットル弁（５６）を備えた直接分岐（５２）によって蒸発器に直接かつ選択的に接続可能であり、システムは、吸着剤床によって実行される吸着現象を通じて外気から水を捕捉し、吸着現象によって水を生成するように、システムの外側の環境の空気と吸着剤床との間に流体接続を選択的に作るのに適した空気入口分岐（６４）に沿って配置された入口弁（６０）を備える。【選択図】図１
2020146682.tif 000002
【特許請求の範囲】
【請求項１】
自動車両に搭載された脱塩水の製造のための吸着冷凍システム（４）であって、
−気体または水蒸気の流れを凝縮するのに適した凝縮器（８）と、
−気体または水蒸気の流れを生成するのに適した蒸発器（１２）と、
−それぞれ吸着剤材料を含む第１および第２の吸着剤床（１６、２０）と、を備え、
−各吸着剤床（１６、２０）は、少なくとも１つの制御弁（３２）を備えたパイプ（２８）によって前記凝縮器（８）および／または前記蒸発器（１２）に選択的に接続可能であり、
−各吸着剤床（１６、２０）は、供給弁（４４）によって、加熱源（３６）の供給回路および冷却源（４０）の供給回路に選択的かつ交互に接続可能であり、
−前記凝縮器（８）は、相対スロットル弁（５６）を備えた直接分岐（５２）によって前記蒸発器（１２）に直接かつ選択的に接続可能であり、
−前記システム（４）は、前記吸着剤床（１６、２０）によって実行される吸着現象を通じて外気から水を捕捉し、吸着現象によって水を生成するように、前記システム（４）の外側の環境の空気と前記吸着剤床（１６、２０）との間に流体接続を選択的に作るのに適した空気入口分岐（６４）に沿って配置された入口弁（６０）を備えることを特徴とする、自動車両に搭載された脱塩水の製造のための吸着冷凍システム（４）。
【請求項２】
前記システム（４）は、前記凝縮器（８）の下流に配置され、凝縮された水を前記凝縮器（８）から抽気できるようにする抽気弁（７２）を備える、請求項１に記載の自動車両に搭載された脱塩水の製造のための吸着システム（４）。
【請求項３】
前記抽気弁（７２）は、前記直接分岐（５２）に沿って配置され、前記凝縮器（８）から前記蒸発器（１２）に向かう凝縮された水の抽気を可能にするのに適している、請求項２に記載の自動車両に搭載された脱塩水の製造のための吸着冷凍システム（４）。
【請求項４】
前記抽気弁（７２）は三方弁であり、前記直接分岐（５２）に沿った液体の直接通過および前記システム外の液体の抽気を選択的に可能にする、請求項３に記載の自動車両に搭載された脱塩水の製造のための吸着システム（４）。
【請求項５】
前記抽気弁（７２）は、水収集タンク（７６）に接続されている、請求項２、３または４に記載の自動車両に搭載された脱塩水の製造のための吸着システム（４）。
【請求項６】
前記制御弁（３２）の少なくとも１つは、前記吸着剤床（１６、２０）からの気体または水蒸気の流れによって生成される圧力および／または減圧によって自動的に駆動される一方向弁である、請求項１ないし５のうちいずれか１項に記載の自動車両に搭載された脱塩水の製造のための吸着システム（４）。
【請求項７】
前記制御弁（３２）の少なくとも１つは、作動手段によって選択的に作動されて、相対的な水蒸気または気体流の通過／抑制を確実にする弁である、請求項１ないし６のうちいずれか１項に記載の自動車両に搭載された脱塩水の製造のための吸着システム（４）。
【請求項８】
前記入口弁（６０）は、前記蒸発器（１２）から前記吸着剤床（１６、２０）に向かう気体または水蒸気の通過および前記吸着剤床（１６、２０）に向かう外気の通過を選択的に可能にすることができる三方弁である、請求項１ないし７のうちいずれか１項に記載の自動車両に搭載された脱塩水の製造のための吸着システム（４）。
【請求項９】
前記空気入口分岐（６４）は、フィルタ（６８）を備えている、請求項１ないし８のうちいずれか１項に記載の自動車両に搭載された脱塩水の製造のための吸着システム（４）。
【請求項１０】
前記吸着剤床（１６、２０）の前記吸着剤材料は、シリカゲルおよび／またはゼオライトを含む、請求項１ないし９のうちいずれか１項に記載の自動車両に搭載された脱塩水の製造のための吸着システム（４）。
【請求項１１】
前記システムは、制御ユニット（８０）を備え、前記制御ユニット（８０）は、前記蒸発器（１２）で空気を凝縮することにより、および／または以下の条件に基づいて外気の湿度を吸着することにより、脱塩水の製造を得るようにプログラムされている、
−車両に搭乗している乗客による冷却要求の可能性、
−外気温度および／または湿度、
請求項１ないし１０のうちいずれか１項に記載の自動車両に搭載された脱塩水の製造のための吸着プラント（４）。
【請求項１２】
前記制御ユニット（８０）は、乗客が客室の冷却を必要とする場合に、前記蒸発器（１２）での凝縮された水の生成に有利に働き、冷凍システムの動作を強制するようにプログラムされている、請求項１１に記載の自動車両に搭載された脱塩水の製造のための吸着システム（４）。
【請求項１３】
前記制御ユニット（８０）は、客室の冷却の要求がない場合に、液体水の生成方法が、より大きな流れを保証する凝縮と吸着方法との間で選択されるようにプログラムされている、請求項１１ないし１２のうちいずれか１項に記載の自動車両に搭載された脱塩水の製造のための吸着システム（４）。
【請求項１４】
前記制御ユニット（８０）は、前記蒸発器（１２）で空気を凝縮することによって、および／またはそれぞれ外部温度が閾値を上回っているか下回っているかに応じて外気の湿度を吸着することによって、脱塩水の製造を取得するようにプログラムされている、請求項１１ないし１３のうちいずれか１項に記載の自動車両に搭載された脱塩水の製造のための吸着システム（４）。
【請求項１５】
前記閾温度値は７℃〜１７℃の間である、請求項１４に記載の自動車両に搭載された脱塩水の製造のための吸着システム（４）。
【請求項１６】
前記制御ユニット（８０）は、外部温度がこの閾値より低い場合、２つの吸着剤床（１６、２０）が吸着と脱着で交互に機能するようにプログラムされているため、１つの吸着剤床（１６、２０）の固体マトリックスは、飽和するまで吸着されないが、他の吸着剤床（１６、２０）が完全に脱着するのに必要な時間のみが許容される、請求項１４ないし１５のうちいずれか１項に記載の自動車両に搭載された脱塩水の製造のための吸着システム（４）。
【請求項１７】
前記制御ユニット（８０）は、外部温度が前記閾値より高い場合、および／または乗客が客室内の冷却を必要とする場合、前記システム（４）が、前記蒸発器（１２）で凝縮された水を生成することによって「閉回路」で動作するように、プログラムされている、請求項１４ないし１６のうちいずれか１項に記載の自動車両に搭載された脱塩水の製造のための吸着システム（４）。
【請求項１８】
請求項１ないし１７のうちいずれか１項に記載の脱塩水の製造のための吸着システム（４）を備える車両。
【請求項１９】
自動車両に搭載された脱塩水を製造する方法であって、
−請求項１ないし１７のうちいずれか１項に記載の吸着システム（４）および／または請求項１８に記載の自動車両を提供するステップと、
−以下の条件に基づいて、蒸発器（１２）で空気を凝縮することによって、および／または外気の湿度を吸着することによって、脱塩水の製造を取得する、
−車両に乗っている乗客による冷却要求の可能性、
−外気温度および／または湿度、
ステップを含む方法。
【請求項２０】
乗客が客室の冷却を必要とする場合、前記蒸発器（１２）での凝縮水の生成を促進して、冷凍システムの運転を強制することが想定されている、請求項１９に記載の方法。
【請求項２１】
客室の冷却の要求がない場合、液体水の製造方法は、より大きな流れを保証する凝縮方法と吸着方法のどちらかを選択する、請求項１９ないし２０のうちいずれか１項に記載の自動車両に搭載された脱塩水の製造のための吸着システム（４）。
【請求項２２】
脱塩水の製造は、前記蒸発器（１２）で空気を凝縮することによって、および／または外部温度が閾値を上回っているか下回っているかに応じて、それぞれ外気の湿度を吸着することによって得られる、請求項１９ないし２１のうちいずれか１項に記載の自動車両に搭載された脱塩水の製造のための吸着システム（４）。
【請求項２３】
前記閾温度値は７℃〜１７℃の間である、請求項２２に記載の自動車両に搭載された脱塩水の製造のための吸着システム（４）。
【請求項２４】
外部温度がこの閾値よりも低い場合、１つの吸着剤床（１６、２０）の固体マトリックスは、飽和するまで吸着されないが、他の吸着剤床（２０、１６）が完全に脱着するのに必要な時間のみが許容されるように、２つの吸着剤床（１６、２０）は、吸着と脱着で交互に機能する、請求項２２ないし２３のうちいずれか１項に記載の自動車両に搭載された脱塩水の製造のための吸着システム（４）。
【請求項２５】
外部温度が前記閾値より高い場合、および/または乗客が客室の冷却を必要とする場合、前記システムは、前記蒸発器（１２）で凝縮水を生成することにより「閉回路」で動作する、請求項２２ないし２４のうちいずれか１項に記載の自動車両に搭載された脱塩水の製造のための吸着システム（４）。
【発明の詳細な説明】
【技術分野】
【０００１】
本発明は、自動車両に搭載された脱塩水を製造するための吸着冷凍システム、前記システムを備える自動車両、およびその自動車両に搭載された脱塩水を製造する方法に関する。
【背景技術】
【０００２】
最新の内燃機関における性能を高め、燃料消費および排出を低減するように適合された水噴射システムの導入により、所与の頻度で脱塩水のタンクを満たす必要が生じてきた。
【０００３】
水噴射技術は、内燃機関を備えた全ての用途にとって興味深いものとなり得る。通常、オットーサイクルエンジンでは、水は、直接または間接的に（吸気管を介して）燃焼室に噴射され、ノック傾向を緩和し、排気ガスの温度を抑制する。ディーゼルサイクルエンジンでは、水は、同じ方法で燃焼室に注入できるが、この場合、窒素酸化物の形成を減らすことを目的としている。さらに、この特定のタイプのエンジンでは、可変濃度のＳＣＲシステムの存在下で、脱塩水を排気ガス処理システムに注入する必要がある場合がある。
【０００４】
したがって、これらの用途は、全て、車両に搭載された所定量の脱塩水を必要とし、通常は、燃料タンクと同様に毎回補充する必要がある特殊なタンクに収容されている。
【０００５】
しかしながら、脱塩水を供給する必要性は、ユーザが燃料に加えて脱塩水を充填する仕事を引き受けることを望まないことが多いので、今日までこの技術を魅力のないものにしている。
【０００６】
明らかに、車両に搭載された脱塩水生成システムの利用可能性は、エンドユーザによる充填を減らすか、またはせいぜいなくすことを可能にし、したがって、水注入技術をより魅力的にするであろう。
【０００７】
もちろん、このようなシステムまたはプラントは、エネルギ消費に大きな影響を与えず、車両の全体的なコストに大きな負担をかけないように、エネルギ効率が良くなければならない。
【発明の概要】
【０００８】
したがって、前述の技術的効果を達成するために、自動車両に搭載された脱塩水の生成のためのシステムおよびその自動車両に搭載された脱塩水の生成方法を利用可能にする必要性が当技術分野で感じられている。
【０００９】
このような必要性は、請求項１に記載の自動車両に搭載された脱塩水の製造システム、および請求項１９に記載の自動車両に搭載された脱塩水の製造方法によって満たされる。
【００１０】
本発明の他の実施形態は、従属請求項に記載されている。
【００１１】
本発明のさらなる特徴および利点は、非限定的な例として与えられる好ましい実施形態の以下の説明からより理解しやすくなるであろう。
【図面の簡単な説明】
【００１２】
【図１】一般的な吸着冷凍システムの概略図である。
【図２】一定圧力での空気と水の混合物の冷却後の凝縮による水の生成を示す図である。
【図３】本発明の一実施形態に係る吸着冷却システムの概略図である。
【図４】空気温度の関数としての異なる吸着剤材料の吸着能力の図である。
【図５】いくつかの吸着剤材料の吸着速度を時間の関数として示し、したがって、吸着された水の量を時間の関数として示している。
【発明を実施するための形態】
【００１３】
以下に説明される実施形態に共通の要素または部品は、同じ参照番号を使用して示される。
【００１４】
前述の図を参照すると、参照番号４は、自動車両全体に搭載された吸着冷凍システムを示している。
【００１５】
車両という用語は、広い意味で理解されるべきであることに留意する価値がある。言い換えると、本発明は、あらゆるタイプの車両に容易に適用される。
【００１６】
システム４は、ガスまたは水蒸気の流れを凝縮するように適合された凝縮器８と、ガスまたは水蒸気流を生成するように適合された蒸発器１２と、それぞれが吸着剤材料を含む第１の吸着剤床１６および第２の吸着剤床２０を備える。
【００１７】
凝縮器８、蒸発器１２、および吸着剤床１６、２０のタイプおよび寸法は、本発明の目的を制限することなく、変えることができる。吸着剤床は、好ましくは、吸着剤材料としてシリカゲルおよび／またはゼオライトを含む。
【００１８】
各吸着剤床１６、２０は、少なくとも１つの制御弁３２が設けられたパイプまたは導管２８によって、凝縮器８および／または蒸発器１２に選択的に接続可能である。制御弁３２は、アクティブおよびパッシブの両方の様々なタイプであり得る。
【００１９】
特に、可能な実施形態によれば、前記制御弁３２は、前記制御弁３２が挿入されているパイプ２８内の吸着剤床からのガスまたは水蒸気の流れによって生成される圧力および／または減圧によって自動的に作動する一方向弁である。このタイプのパッシブ弁には、特定のドライブおよび／またはアクチュエータを必要とせずに自動調整できるという利点がある。
【００２０】
更なる可能な実施形態によれば、前記制御弁３２は、作動手段（図示せず）によって選択的に操作されて、それぞれのパイプ内の水蒸気またはガスのそれぞれの流れの通過／抑制を確実にする弁である。したがって、この実施形態は、特定のシステム動作要求の場合に、常に弁の正しい動作を保証し、場合によっては、弁を強制する可能性を有するように、アクティブタイプの弁の使用を提供する。
【００２１】
上述の制御弁３２のタイプは、相互に代替的または除外的ではないことは注目に値する。言い換えれば、同じタイプの制御弁３２を同じシステム４内で混合して使用することが可能である。
【００２２】
制御弁の特定の動作は、以下でより詳細に説明される。
【００２３】
本発明によれば、各吸着剤床１６、２０は、それぞれの供給弁４４によって、加熱源３６の供給回路および冷却源４０の供給回路に選択的かつ交互に接続可能である。加熱源および冷却源は、典型的には、システム４が設置されている車両のエンジンからの流体、すなわち水または冷却剤である。ガス状の加熱または冷却流体、例えば、加熱用のエンジン排気ガスと冷却用の外気を使用することも可能である。加熱源３６および冷却源４０の供給回路は、通常、そのような加熱または冷却流体が液体または気体状態で流れるパイプ４８を備える。
【００２４】
凝縮器８は、それぞれのスロットル弁５６が設けられた直接分岐５２によって、蒸発器１２に直接かつ選択的に接続可能である。前記スロットル弁５６の目的は、前記蒸発器１２内でのその後の完全な蒸発を促進するために、凝縮器８から来て蒸発器１２に向けられる流体の圧力を積層し、それにより低減することである。
【００２５】
有利には、前記システム４は、前記吸着剤床１６、２０によって実行される吸着現象によって外気から水を捕捉し、吸着現象によって水を生成するように、システム４の外部の環境の空気と前記吸着剤床１６、２０との間に流体接続を選択的に行うように適合された、空気入口分岐６４に沿って配置された入口弁６０を備える。
【００２６】
一実施形態によれば、前記入口弁６０は、蒸発器１２から吸着剤床１６、２０に向かうガスまたは水蒸気の通過および吸着剤床１６、２０に向かう外気の通過を選択的に可能にすることができる三方弁である。
【００２７】
好ましくは、前記空気入口分岐６４は、フィルタ６８を備える。
【００２８】
一実施形態によれば、前記システム４は、凝縮水が前記凝縮器８から抽気されることを可能にするように、凝縮器８の下流に配置された抽気弁７２を備える。
【００２９】
例えば、前記抽気弁７２は、前記直接分岐５２に沿って配置され、凝縮器８から蒸発器１２に来る凝縮水の抽気を可能にするように適合される。
【００３０】
例えば、前記抽気弁７２は、三方弁であり、直接分岐５２に沿った液体の直接通過およびシステム４外の液体の排出を選択的に可能にする。
【００３１】
一実施形態によれば、抽気弁７２は、水収集タンク７６に接続される。
【００３２】
次に、本発明による、車両に搭載された脱塩水を生成するための吸着システムの動作について説明する。
【００３３】
第一に、見られるように、本発明は、吸着サイクルに基づく空冷システムからなり、適切に修正される。
【００３４】
「高」外気温の存在下で、圧縮サイクルに基づく通常のシステムのように機械的または電力をとるのではなく、冷気が生成されて客室を空調し、凝縮された脱塩水が外部湿度から生成され、エンジンの廃熱を利用する。外気温が高いということは、通常７℃〜１７℃の範囲、通常は、１５℃を超える温度を意味することに留意されたい。
【００３５】
外気温が低い場合、すなわち、車両のユーザが冷たい空気を必要としない場合、および空気中の水分量が制限されているために外気に含まれる湿度（絶対湿度）を凝縮することができない場合、蒸発器の動作温度を所定の値（通常は、５〜７℃）未満に下げることは不可能である。「オープンサイクル」吸着システムは、吸着床１６、２０による吸着プロセスを通じて空気に含まれる水を捕捉するために使用される。
【００３６】
運転プロセスは、通常の冷凍運転と実質的に同じままである。特に、
【００３７】
２つの床のうちの１つ、例えば、第１の吸着床１６は冷却され、その後、空気からの水の吸着が活性化され、圧力低下を引き起こし、それにより、制御弁３２が凝縮器８に向かって閉じ、制御弁３２が入口弁６０に向かって開く。正しく操作された場合、外気が空気入口分岐６４を通して導入されることを可能にする。
【００３８】
第１の吸着床１６は、飽和に達するまで外気から水を吸着し続ける。
【００３９】
したがって、第１の吸着床１６は加熱され、それにより、水の脱着を活性化し、その結果、制御弁３２の閉鎖につながる圧力上昇が生じる。これは、入口弁６０および空気入口分岐６４を介してそれを外部環境に接続し、凝縮器８に供給する制御弁３２の開口部に接続する。
【００４０】
次に、第１の吸着剤床１６を加熱することによって生成された蒸気は凝縮され、抽気弁７２の開口部を通して水収集タンク７６に送られる。
【００４１】
基本的なメカニズムは不連続であるが、２つの吸着剤床１６、２０を使用することにより、水流生成の所与の連続性を保証することが可能であることに留意することができる。
【００４２】
より具体的には、２つの吸着剤床のうちの１つ、例えば、第２の吸着床１６は、８０℃を超える熱源で加熱される。自動車両への適用の場合、そのような熱源は容易に入手可能であり、例えば、エンジン冷却水および／または排気ガスから回収される熱である。このようにして、熱、したがって、熱エネルギは、他の方法では浪費されるが、回収され、システムが全体的に熱効率を改善し、それが搭載されている車両のエンジンを改善することに留意されたい。
【００４３】
加熱中、以前に吸着床によって吸着された水は、水蒸気の形で放出され、その圧力は、蒸発器１２に接続された制御弁３２を閉じ、凝縮器８に接続された制御弁３２を開くことによって増加する。次に、高圧蒸気流によって供給される。蒸気の冷却は、凝縮器８で起こり、冷却供給回路４０は、低温（好ましくは、５０℃未満）であり、外気または低温の冷却液からなり、蒸気の凝縮を引き起こす。
【００４４】
次に、凝縮水は、圧力を低下させるスロットル弁５６を通って蒸発器１２に到達する。蒸発器１２では、スロットル弁５６が液体水の圧力を所定の値よりも低くすると、液体水は、その潜在的な気化熱に等しい量の熱を外部環境から除去することによって蒸気状態になる。
【００４５】
一方、第１の吸着剤床１６は、水の吸着、したがって、圧力の低下を活性化するために、低温（好ましくは、５０℃未満）で前記冷却供給回路４０によって冷却される。これにより、制御弁３２が凝縮器８に向かって閉じ、蒸発器１２に接続されている制御弁が開く。
【００４６】
このようにして、蒸発器１２で生成された蒸気は、第１の吸着剤床１６に吸着される。第１の吸着剤床１６が完全に脱着され、したがって、吸着剤床２０が水で飽和すると、供給弁４４によって、２つの吸着剤床１６、２０の動作が逆転され、したがって、以前に冷却されたものを加熱し、逆もまた同様に、以前に加熱されたものを冷却する。このようにして、実質的に連続した冷凍能力を保証することが可能である。
【００４７】
吸着床１６、２０の機能は、加熱から冷却へ、吸着から脱着へと連続的に交換されることは注目に値する。したがって、説明および図に示されている第１の吸着床と第２の吸着床との間の区別は、単なる例示であり、限定的な意味で考慮されるべきではない
【００４８】
システム弁および吸着剤床の動作を説明した後、システム自体の制御／動作ロジックを説明することは有用である。特に、そのような動作ロジックは、以下に説明される全ての制御を実行するようにプログラムされた少なくとも１つの処理制御ユニット８０によって実施される。
【００４９】
内燃機関の性能に対する実質的にゼロの影響と、エンジン自体の潜在的な高負荷動作をサポートするための水の一貫した利用可能性を保証する必要性を考えると、水貯蔵タンク７６が満杯でない場合、水生成システムを常にアクティブに保つことは便利である。
【００５０】
別のものではなく１つの生成メカニズムの選択、すなわち、蒸発器での冷凍サイクルによる凝縮による生成および吸着／脱着による生成は、主に２つの要因によって決定される。
【００５１】
−車両に乗っている乗客による冷却要求の可能性、
【００５２】
−外気温。
【００５３】
実際、乗客が客室の冷却を必要とする場合、水の生成に関する効率に関係なく、冷凍機の動作が強制され、その後、蒸発器１２での凝縮によって水が生成される。
【００５４】
逆に、乗客が客室の冷却を必要としない場合、液体水生成の２つのモードのうちの１つ、すなわち、より高い流量を保証するモードが選択される。
【００５５】
両方のモードについて、水の生成効率は、主に環境条件（特に、圧力、温度および相対湿度）および機械のタイプ（吸着材料のタイプ、吸着床の加熱および冷却流体の温度等）に依存する。
【００５６】
気圧センサ、温度センサおよび湿度センサは、実際には全ての車両にすでに存在するため、周囲条件を決定するために追加のセンサは必要とされない。さらに、温度および湿度センサは、通常、自動空調システムが装備されている車両の客室内にも取り付けられているため、再循環された空気中の水分量も考慮できる。これらのセンサにより、システムの制御を最適化し、障害や故障を診断できる。
【００５７】
特に、外気温に応じて、ある動作モードから別の動作モードに切り替えることが可能である。これが所定の閾値（通常は、７〜１７℃、例えば、１５℃）を超える場合、システムは、冷凍機として動作し、凝縮水は蒸発器１２の近くに集められる。必要に応じて、客室内の空気を暖めた後、乗員の快適性を確保する。これは、一方で、固体マトリックスの吸着能力が温度の上昇とともに減少するためである（図４を参照）。他方で、空気と蒸発器１２の表面との間のより高い温度勾配は、水を空気から凝縮させるより高い能力をもたらす。生成される水の流量は、外部の再循環された空気混合物の圧力、温度、および相対湿度に依存する。
【００５８】
一方、外気温がそのような閾値または閾値範囲よりも低い場合、システムは、入口弁６０を開き、制御弁３２および供給弁４４を調整することによって「開回路」で動作するようにされる。
【００５９】
この場合も、２つの吸着剤床１６、２０は、吸着および脱着において交互に機能する。生成水の流量を最大化するために、吸着床１６、２０の固体マトリックスは、飽和するまで吸着されず、他の床２０、１６が完全に脱着するのに必要な時間のみが吸着される。これは、トラップされた水が増えると吸着率が低下するためである（図５を参照）。
【００６０】
温度が上記の閾値を超えるとき、または乗客が客室の冷却を必要とするとき、システムは、入口弁６０を閉じ、抽気弁７２を閉じ、制御弁３２および供給弁４４を動かすことにより、「閉回路」動作に戻る。
【００６１】
冷凍機としてのシステムの動作を保証するために、所与の量の水が回路内に存在することが不可欠である。このような量を制御するために、入口弁６０および抽気弁７２を別々に操作して、入口弁を開いたままにし、出口弁を閉じたままにすることによって、水の量を補充するか、または入口弁を閉じたままにし、出口弁を開いたままにすることによって、水の量を減らし、オペレータの流体の量を減らすことが可能である。これらの要求は、性能の低下が検出された場合に、冷凍機の制御システムによって要求される場合がある。
【００６２】
作業中にオペレータを必要とせずに、動作中にオペレータ流体の量を制御する可能性は、冷凍機としての単純な動作に関しても、本発明によってもたらされるさらなる利点である。
【００６３】
上記の説明から理解できるように、本発明は、従来技術で提示された欠点を克服することを可能にする。
【００６４】
特に、本発明は、高い屋外温度および低い屋外温度の両方で、完全に自律的な方法で車両に搭載された脱塩水の生成を可能にする。
【００６５】
このような水は、エンジンのタイプに応じて、汚染物質の排出および／または動作温度を低減するために、内燃機関の燃焼室への噴射に使用することができる。
【００６６】
本発明は、吸着空調システムと比較して特別な構成要素の追加を必要としないので、既知の吸着システムと比較して大幅なコストの増加を意味しない。
【００６７】
有利なことに、本発明に係るシステムは、圧縮機を使用せずに、したがって、内燃機関から直接機械的エネルギを取ることなく、客室の空調と脱塩水の生成を有利に実施することができる。特に、脱塩水の生成は、他の方法では失われる燃焼機関の熱出力を使用して行われる。このようにして、燃焼機関からの熱エネルギ損失が制限されるか、または少なくとも部分的に回復され、燃焼機関の全体的な効率が向上する。
【００６８】
さらに、見られるように、吸着冷凍機は、低温環境から熱を取り除き、それを、従来の圧縮システムにおけるような機械的仕事の代わりに熱を消費するより高温の温度に移すことを可能にする。
【００６９】
この技術は、吸収技術と同様に、機械的動力を生成することができる車（すなわち、車両牽引エンジン）の廃熱から、加熱または冷凍動力が生成される三世代システムを作成することを可能にする。これらのシステムは、通常は、発電に機械的動力が使用され、部屋の空調に暖房／冷房熱が使用される定置型用途と、機械的動力が通常直接または直列ハイブリッド車両の場合は間接的に牽引に使用され、熱動力が客室の空調に使用される自動車用途の両方に効果的である。
【００７０】
吸収システムと比較して、吸着システムは、よりコンパクトである、循環ポンプを必要としない（それぞれのエネルギ消費を伴う）、危険な水／臭化リチウムを含有する必要がない、または水／アンモニア液体溶液、とりわけ、車両のシャーシに取り付けられた部品が受ける可能性のある強い振動を受けないという利点を有することは注目に値する。
【００７１】
吸着は、特定の固体の表面上の気体または液体の分子の蓄積からなり、化学的物理的相互作用（ワンデルワールス結合または分子間化学結合）を確立する。
【００７２】
このような吸着システムは、非常に信頼性が高く、管理および維持が容易である。
【００７３】
このように生成された脱塩水は、燃焼室への注入以外の用途にも使用することができる。例えば、エンジン自体の冷却システム、フロントガラスのタンクおよび／またはヘッドライトウォッシャなどを補充するために使用できる。
【００７４】
当業者は、上記の吸着システムにいくつかの変更および変形を行うことができ、付随する特定のニーズを満たすために、以下の特許請求の範囲によって定義される本発明の範囲内に全て入る。
【図１】
2020146682.tif 000003
【図２】
2020146682.tif 000004
【図３】
2020146682.tif 000005
【図４】
2020146682.tif 000006
【図５】
2020146682.tif 000007
【外国語明細書】
2020146682.tif 000008
2020146682.tif 000009
2020146682.tif 000010
2020146682.tif 000011
2020146682.tif 000012
2020146682.tif 000013
2020146682.tif 000014
2020146682.tif 000015
2020146682.tif 000016
2020146682.tif 000017
2020146682.tif 000018
2020146682.tif 000019
2020146682.tif 000020
2020146682.tif 000021
2020146682.tif 000022
2020146682.tif 000023
2020146682.tif 000024
2020146682.tif 000025
2020146682.tif 000026
2020146682.tif 000027
2020146682.tif 000028
2020146682.tif 000029
2020146682.tif 000030
2020146682.tif 000031
2020146682.tif 000032
2020146682.tif 000033
2020146682.tif 000034
2020146682.tif 000035
2020146682.tif 000036
2020146682.tif 000037
2020146682.tif 000038
2020146682.tif 000039
2020146682.tif 000040